(57)【要約】【課題】組み立て時に回転軸の角度を簡易に調整することができる。【解決手段】回転テーブル１０は、テーブル１２と、テーブル１２を回転させるための回転軸１４と、回転軸１４を回転可能に支持するハウジング１６と、を有する回転部１８と、回転部１８を支持する支持部２０と、を備える。ハウジング１６は、回転軸１４を回転可能に支持する円筒部１６ａと、円筒部１６ａの端部に設けられたフランジ部１６ｂと、を有し、支持部２０は、円筒部１６ａを挿入可能な貫通孔２０ａを有し、貫通孔２０ａに円筒部１６ａが挿入された状態でフランジ部１６ｂを支持し、円筒部１６ａが挿入可能な挿入孔２２ａを有し、支持部２０とフランジ部１６ｂとの間に設けられ、支持部２０に対する回転軸１４の角度を調整する調整板２２をさらに備え、調整板２２は、回転軸１４の軸方向の厚みが所定の傾斜角で変化するように形成されている。【選択図】図１
2020099955.tif 000002
【特許請求の範囲】
【請求項１】
テーブルと、
前記テーブルを回転させるための回転軸と、前記回転軸を回転可能に支持するハウジングと、を有する回転部と、
前記回転部を支持する支持部と、
を備える、回転テーブルであって、
前記ハウジングは、前記回転軸を回転可能に支持する円筒部と、前記円筒部の端部に設けられたフランジ部と、を有し、
前記支持部は、前記円筒部を挿入可能な貫通孔を有し、前記貫通孔に前記円筒部が挿入された状態で前記フランジ部を支持し、
前記円筒部が挿入可能な挿入孔を有し、前記支持部と前記フランジ部との間に設けられ、前記支持部に対する前記回転軸の角度を調整する調整板をさらに備え、
前記調整板は、前記回転軸の軸方向の厚みが所定の傾斜角で変化するように形成されている、回転テーブル。
【請求項２】
請求項１に記載の回転テーブルであって、
前記調整板を複数有し、
複数の前記調整板は、重ねられた状態で、前記支持部と前記フランジ部との間に設けられている、回転テーブル。
【請求項３】
請求項２に記載の回転テーブルであって、
前記傾斜角が等しい前記調整板が２枚設けられている、回転テーブル。
【発明の詳細な説明】
【技術分野】
【０００１】
本発明は、ワーク等を載置して回転させる回転テーブルに関する。
【背景技術】
【０００２】
下記に示す特許文献１に記載されているような回転テーブルにおいては、回転部材を回転可能に支持するハウジングを工作機械などに設置されるケースが固定している。このような回転テーブルにおいて、回転軸の角度を調整する必要が生ずる場合がある。
【先行技術文献】
【特許文献】
【０００３】
【特許文献１】特開２０１７−１４４５３３号公報
【発明の概要】
【発明が解決しようとする課題】
【０００４】
従来から、回転テーブルの組み立てにおいては、回転軸の角度を簡易に調整することが求められていた。
【０００５】
そこで、本発明は、組み立て時に回転軸の角度を簡易に調整することができる回転テーブルを提供することを目的とする。
【課題を解決するための手段】
【０００６】
本発明の第１の態様は、テーブルと、前記テーブルを回転させるための回転軸と、前記回転軸を回転可能に支持するハウジングと、を有する回転部と、前記回転部を支持する支持部と、を備える、回転テーブルであって、前記ハウジングは、前記回転軸を回転可能に支持する円筒部と、前記円筒部の端部に設けられたフランジ部と、を有し、前記支持部は、前記円筒部を挿入可能な貫通孔を有し、前記貫通孔に前記円筒部が挿入された状態で前記フランジ部を支持し、前記円筒部が挿入可能な挿入孔を有し、前記支持部と前記フランジ部との間に設けられ、前記支持部に対する前記回転軸の角度を調整する調整板をさらに備え、前記調整板は、前記回転軸の軸方向の厚みが所定の傾斜角で変化するように形成されている。
【発明の効果】
【０００７】
本発明によれば、組み立て時に回転軸の角度を簡易に調整することができる。
【図面の簡単な説明】
【０００８】
【図１】実施の形態にかかる回転テーブルの断面図である。
【図２】調整板を図１と同じ方向から観た断面図である。
【図３】調整板を回転軸の軸方向から観た図である。
【図４】変形例１にかかる回転テーブルの断面図である。
【図５】２枚の調整板を図４と同じ方向から観た断面図である。
【図６】変形例２にかかる調整板を回転軸の軸方向から観た図である。
【図７】変形例３にかかる調整板を回転軸の軸方向から観た図である。
【発明を実施するための形態】
【０００９】
本発明にかかる回転テーブルについて、好適な実施の形態を掲げ、添付の図面を参照しながら以下、詳細に説明する。
【００１０】
［実施の形態］
図１は、実施の形態にかかる回転テーブル１０の断面図である。回転テーブル１０は、テーブル１２と、回転軸１４およびハウジング１６を有する回転部１８と、回転部１８を支持する支持部２０と、支持部２０に対する回転軸１４の角度を調整する調整板２２と、を備える。テーブル１２は、図示していないワーク等を載置して、テーブル１２に接続されている回転軸１４により回転される。支持部２０は、工作機械または床に設置されている。
【００１１】
ハウジング１６は、回転軸１４を回転可能に支持する。具体的には、ハウジング１６は、回転軸１４を回転可能に支持する円筒部１６ａと、円筒部１６ａの端部に設けられたフランジ部１６ｂと、を有している。そして、円筒部１６ａには回転軸１４を回転可能に支持する軸受部１６ｃが設けられている。
【００１２】
支持部２０は、円筒部１６ａを挿入可能な貫通孔２０ａを有し、貫通孔２０ａに円筒部１６ａが挿入された状態でフランジ部１６ｂを支持している。具体的には、支持部２０とフランジ部１６ｂとは、調整板２２を間に挟んだ状態でボルト２４により固定されている。
【００１３】
図２は、調整板２２を図１と同じ方向から観た断面図である。図３は、調整板２２を回転軸１４の軸方向から観た図である。調整板２２は、ハウジング１６の円筒部１６ａが挿入可能な挿入孔２２ａを有しており、上述したように支持部２０とフランジ部１６ｂとの間に設けられていて、ボルト２４によって支持部２０およびフランジ部１６ｂにしっかりと固定されている。そして、図２に示されるように、調整板２２は、回転軸１４の軸方向の厚みが所定の傾斜角θで変化するように形成されている。
【００１４】
上記のような構成の回転テーブル１０の組み立て時において、回転軸１４の支持部２０に対する角度を調整したい場合に、調整したい角度に相当する傾斜角θの調整板２２を用意しておく。これにより、回転軸１４の支持部２０に対する角度を簡易に調整することができる。また、傾斜角θが異なる調整板２２を複数用意しておけば、所望の傾斜角θを有する調整板２２を１枚選択して、支持部２０とフランジ部１６ｂとの間に設置することにより、回転軸１４の支持部２０に対する角度を簡易且つ選択的に調整することができる。また、１枚の調整板２２の設置位置を回転軸１４の軸方向に回転させることにより、支持部２０に対して角度を有する方向を容易に調整することもできる。
【００１５】
［変形例］
上記実施の形態は、以下のように変形してもよい。
【００１６】
（変形例１）
図４は、変形例１にかかる回転テーブル１０の断面図である。変形例１にかかる回転テーブル１０は、調整板２２を複数有している。そして、複数の調整板２２は、重ねられた状態で、支持部２０とフランジ部１６ｂとの間に設けられている。図４では、２枚の調整板２２が重ねられた状態で、支持部２０とフランジ部１６ｂとの間に設けられている様子が示されている。図５は、２枚の調整板２２を図４と同じ方向から観た断面図である。２枚の調整板２２のうちいずれか１枚を回転軸１４の軸方向に回転させることにより、調整板２２を取り換えることなしに、回転軸１４の支持部２０に対する角度を簡易に調整することができる。
【００１７】
図４および図５では、２枚の調整板２２の傾斜角θが等しい場合を示してある。傾斜角が等しい２枚の調整板２２を用いることにより、２枚の調整板２２の傾斜角が逆に組み合わさった状態では回転軸１４の支持部２０に対する角度を変化させないこと、すなわち支持部２０の設置面に対して回転軸１４の軸方向を水平に保つことも可能となる。なお、２枚の調整板２２の傾斜角は異なるようにしてもかまわない。
【００１８】
また、複数の調整板２２は３枚以上であってもよく、そのうちの少なくとも１枚を回転軸１４の軸方向に回転させることにより、調整板２２を取り換えることなしに、回転軸１４の支持部２０に対する角度を簡易且つ高い精度で調整することができる。
【００１９】
（変形例２）
図１の回転テーブル１０においては、調整板２２は、ボルト２４を回避する位置に設置されていた。しかし、ボルト２４が調整板２２を貫通するようにしてもよい。図６は、変形例２にかかる調整板２２を回転軸１４の軸方向から観た図である。変形例２にかかる調整板２２にはボルト２４を貫通させることが可能なボルト孔２２ｂが調整板２２の周に複数設けられている。ボルト２４を貫通させるボルト孔２２ｂを選択することにより、調整板２２の設置位置を回転軸１４の軸方向の周りに調整できる。これにより、調整板２２は、ボルト２４を貫通させつつ回転軸１４の支持部２０に対する角度を簡易に調整することができる。
【００２０】
（変形例３）
図７は、変形例３にかかる調整板２２を回転軸１４の軸方向から観た図である。変形例３にかかる調整板２２にはボルト２４を貫通させる位置を孔内で選択することが可能な長孔のボルト孔２２ｃが調整板２２の周に２つ設けられている。ボルト孔２２ｃの中でボルト２４を貫通させる位置を選択することにより、調整板２２の設置位置を回転軸１４の軸方向の周りに調整することができる。これにより、調整板２２は、ボルト２４を貫通させつつ回転軸１４の支持部２０に対する角度を簡易に調整することができる。
【００２１】
（変形例４）
上記実施の形態および変形例１〜３は、矛盾の生じない範囲で任意に組み合わされてもよい。
【００２２】
［実施の形態から得られる発明］
上記実施の形態から把握しうる発明について、以下に記載する。
【００２３】
（第１の発明）
回転テーブル（１０）は、テーブル（１２）と、テーブル（１２）を回転させるための回転軸（１４）と、回転軸（１４）を回転可能に支持するハウジング（１６）と、を有する回転部（１８）と、回転部（１８）を支持する支持部（２０）と、を備える。ハウジング（１６）は、回転軸（１４）を回転可能に支持する円筒部（１６ａ）と、円筒部（１６ａ）の端部に設けられたフランジ部（１６ｂ）と、を有し、支持部（２０）は、円筒部（１６ａ）を挿入可能な貫通孔（２０ａ）を有し、貫通孔（２０ａ）に円筒部（１６ａ）が挿入された状態でフランジ部（１６ｂ）を支持し、円筒部（１６ａ）が挿入可能な挿入孔（２２ａ）を有し、支持部（２０）とフランジ部（１６ｂ）との間に設けられ、支持部（２０）に対する回転軸（１４）の角度を調整する調整板（２２）をさらに備え、調整板（２２）は、回転軸（１４）の軸方向の厚みが所定の傾斜角で変化するように形成されている。
【００２４】
これにより、回転テーブル（１０）の組み立て時に、回転軸（１４）の角度を簡易に調整することができる。
【００２５】
回転テーブル（１０）は、調整板（２２）を複数有し、複数の調整板（２２）は、重ねられた状態で、支持部（２０）とフランジ部（１６ｂ）との間に設けられてもよい。これにより、調整板（２２）を取り換えることなしに、回転軸（１４）の支持部（２０）に対する角度を簡易且つ高い精度で調整することができる。
【００２６】
回転テーブル（１０）は、傾斜角が等しい調整板（２２）が２枚設けられていてもよい。これにより、支持部（２０）の設置面に対して回転軸（１４）の軸方向を水平に保つことができる。
【符号の説明】
【００２７】
１０…回転テーブル                      １２…テーブル
１４…回転軸                            １６…ハウジング
１６ａ…円筒部                          １６ｂ…フランジ部
１６ｃ…軸受部                          １８…回転部
２０…支持部                            ２０ａ…貫通孔
２２…調整板                            ２２ａ…挿入孔
２２ｂ、２２ｃ…ボルト孔                ２４…ボルト
【図１】
2020099955.tif 000003
【図２】
2020099955.tif 000004
【図３】
2020099955.tif 000005
【図４】
2020099955.tif 000006
【図５】
2020099955.tif 000007
【図６】
2020099955.tif 000008
【図７】
2020099955.tif 000009